(57)【要約】【課題】  既存の部材を有効に利用して重量の増加を抑制しつつ、前方からの荷重を広範囲に分散伝達させることができる自動車の前部車体構造を提供する。【解決手段】  車室の前壁部を構成するダッシュパネル３と、車幅方向に延びこのダッシュパネルに接合されるダッシュクロスメンバ１０と、ダッシュパネル３に接合されこのダッシュパネル３に対するブレーキブースタの取付部分を補強するブースタ取付用レインフォースメント１９とを備える。ダッシュクロスメンバ１０の車幅方向中央部は車両前後方向に沿って延びるフロアトンネル部１２の前端部に接合される。ブースタ取付用レインフォースメント１９はレイン本体２０とこのレイン本体２０から車幅方向内側に延出してダッシュクロスメンバ１０の車幅方向中央部に接合される補強アーム部２１とを有する。【選択図】      図３
2007030627.tif 000002
【特許請求の範囲】
【請求項１】
車室の前壁部を構成するダッシュパネルと、車幅方向に延びこのダッシュパネルに接合されるダッシュクロスメンバと、上記ダッシュパネルに接合されこのダッシュパネルに対する車両用補機の取付部分を補強する補機レインフォースメントとを備え、
上記ダッシュクロスメンバの車幅方向中央部は車両前後方向に沿って延びるフロアトンネル部の前端部に接合され、上記補機レインフォースメントはレイン本体とこのレイン本体から車幅方向内側に延出してダッシュクロスメンバの車幅方向中央部に接合される補強アーム部とを有することを特徴とする自動車の前部車体構造。
【請求項２】
上記車両用補機は、ブレーキペダルの操作力を増強してブレーキ力を発生させるブレーキブースタであることを特徴とする請求項１記載の自動車の前部車体構造。
【請求項３】
上記ダッシュクロスメンバの車幅方向両端部が車両前後方向に延びる左右一対のフロントサイドフレームに接合されるとともに、この接合部分またはその周辺に上記レイン本体の下端部が接合されることを特徴とする請求項１または請求項２記載の自動車の前部車体構造。
【請求項４】
上記レイン本体の上端部はダッシュクロスメンバの上方において車幅方向に延びるカウルパネルに接合され、上記補強アーム部はレイン本体とダッシュクロスメンバとの間に筋交状に配設されていることを特徴とする請求項１ないし請求項３のいずれか１項に記載の自動車の前部車体構造。
【請求項５】
上記補強アーム部は、車両前後方向に膨出してダッシュパネルとともに閉断面を形成するように構成されていることを特徴とする請求項１ないし請求項４のいずれか１項に記載の自動車の前部車体構造。
【請求項６】
上記フロアトンネル部にはこのフロアトンネル部とともに車両前後方向に延びる閉断面を形成するトンネルレインフォースメントが接合され、このトンネルレインフォースメントはその前端部がダッシュパネルに接合されていることを特徴とする請求項１ないし請求項５のいずれか１項に記載の自動車の前部車体構造。
【請求項７】
補機レインフォースメントのレイン本体と補強アーム部とに跨って車両を操作するための操作用ペダルが取り付けられていることを特徴とする請求項１ないし請求項６のいずれか１項に記載の自動車の前部車体構造。
【発明の詳細な説明】
【技術分野】
【０００１】
本発明は、車室の前壁部を構成するダッシュパネルを含む自動車の前部車体構造に関し、詳しくはこのダッシュパネルにブレーキブースタなどの車両用補機を取り付ける場合にこの取付部分を補強する補機レインフォースメントを備える自動車の前部車体構造に関する。
【背景技術】
【０００２】
従来、特許文献１に示すように、自動車の車室とエンジン室とを仕切る仕切部としてダッシュパネルが、カウルパネルとフロアパネルとの間に配設されている。このダッシュパネルの前面または後面に、車幅方向に沿ってダッシュクロスメンバが接合され、このダッシュクロスメンバによってダッシュパネルの強度を向上させている。また、このダッシュパネルには、種々の車両用補機が取り付けられ、例えばブレーキペダルに入力される踏力を増強するブレーキブースタが取り付けられている。このブレーキブースタの支持剛性を高めるために、ダッシュパネルにおけるブレーキブースタの取付部分にブースタ取付用レインフォースメントが接合されることがある。
【特許文献１】特開２０００−９５１４８号公報（図８参照）
【発明の開示】
【発明が解決しようとする課題】
【０００３】
ところで、この種の自動車においては、衝撃力等が入力された場合に局所的に負荷が作用することを回避してこの衝撃力等を緩和するために、前方から入力された荷重を分散させつつ、車両後方側に伝達させることが望まれており、自動車の前部車体構造についても従来から種々の工夫が施されている。
【０００４】
ここで、特許文献１に示される自動車の前部車体構造においては、ダッシュパネルに入力された荷重はダッシュクロスメンバやブースタ取付用レインフォースメントを介して左右のサスペンションアッパブラケットに伝達され、これにより入力された荷重を分散伝達させるように構成されているが、緩衝のためにはさらなる荷重の分散が求められる。
【０００５】
特に、特許文献１に記載の前部車体構造においては、ブースタ取付用レインフォースメントをさらに拡大してこのレインフォースメントを他の強度部材に接続させることも考えられるが、この場合には、レインフォースメントの重量が大幅に増加するという不都合が生じることになる。
【０００６】
本発明は、上記課題に鑑みてなされたものであり、既存の部材を有効に利用して重量の増加を抑制しつつ、前方からの荷重を広範囲に分散伝達させることができる自動車の前部車体構造を提供することを目的としている。
【課題を解決するための手段】
【０００７】
上記課題を解決するために、本発明に係る自動車の前部車体構造は、車室の前壁部を構成するダッシュパネルと、車幅方向に延びこのダッシュパネルに接合されるダッシュクロスメンバと、上記ダッシュパネルに接合されこのダッシュパネルに対する車両用補機の取付部分を補強する補機レインフォースメントとを備え、上記ダッシュクロスメンバの車幅方向中央部は車両前後方向に沿って延びるフロアトンネル部の前端部に接合され、上記補機レインフォースメントはレイン本体とこのレイン本体から車幅方向内側に延出してダッシュクロスメンバの車幅方向中央部に接合される補強アーム部とを有することを特徴とするものである。
【０００８】
この発明によれば、補機レインフォースメントは、レイン本体と、このレイン本体から車幅方向内側に延出してダッシュクロスメンバの車幅方向中央部に接合される補強アーム部とを有するので、補機レインフォースメントに入力される荷重は、レイン本体を介してだけでなく、補強アーム部を介しても伝達され、これにより入力荷重を効率的に分散させることができる。しかも、補機レインフォースメントを有効に利用し、また、レイン本体を単に拡大するのではなく、このレイン本体から延出する補強アーム部を通じて荷重が伝達されるので、重量の増加を可及的に抑制することができる。また、この補強アーム部が接合されるダッシュクロスメンバの車幅方向中央部分は、車両前後方向に沿って延びるフロアトンネル部の前端部に接合されるので、補強アーム部を通じて伝達された荷重は、フロアトンネル部を通じて車両の後方側に伝達させることができ、補機レインフォースメントに入力された荷重をより広範囲に分散させることができる。
【０００９】
上記車両用補機は、特に限定されるものではないが、上記車両用補機は、ブレーキペダルの操作力を増強してブレーキ力を発生させるブレーキブースタであるであるのが好ましい（請求項２）。
【００１０】
すなわち、ブレーキブースタの取り付けにあたってブースタ取付用レインフォースメントが用いられることがあり、この強度部材であるブースタ取付用レインフォースメントを有効に利用して前部車体構造を構成することができる。
【００１１】
上記ダッシュクロスメンバの車幅方向両端部は、サスペンションタワー等に接合されるものであってもよいが、車両後方側に入力荷重を分散させる観点から車両前後方向に延びる左右一対のフロントサイドフレームに接合されるのが好ましく、この場合には、この接合部分またはその周辺に上記レイン本体の下端部が接合されるのが好ましい（請求項３）。
【００１２】
このように構成すれば、補機レインフォースメントに入力された荷重をレイン本体と補強アーム部とを通じて効率的に車両後方側に分散して伝達させることができる。
【００１３】
レイン本体の上端部は、その具体的接合箇所が特に限定されるものではなく、例えばダッシュパネルの表面の所定箇所に接合されるものであってもよいが、上記レイン本体の上端部はダッシュクロスメンバの上方において車幅方向に延びるカウルパネルに接合されるのが好ましく、またこの場合に、上記補強アーム部はレイン本体とダッシュクロスメンバとの間に筋交状に配設されているのが好ましい（請求項４）。
【００１４】
このように構成すれば、レイン本体に入力された荷重はレイン本体を通じてカウルパネルに伝達され、このカウルパネルを通じて車体上部にも分散して伝達させることができる。すなわち、より広い範囲に荷重を分散させることができる。
【００１５】
ところで、通常、車体下部は車体上部に比べて剛性が高く構成されることから、補強アーム部がダッシュクロスメンバとレイン本体との間に筋交状に配設されることにより、この剛性が高い車体下部に伝達される荷重を大きくすることができ、補機レインフォースメントに入力される荷重を広範囲に、かつ、適正に分散させることができる。
【００１６】
上記補強アーム部は、プレート状に形成され、ダッシュパネルに重合接合されるものであってもよいが、上記補強アーム部は、車両前後方向に膨出してダッシュパネルとともに閉断面を形成するように構成されているのが好ましい（請求項５）。
【００１７】
このように構成すれば、補強アーム部の剛性を向上させることができ、より効率的に荷重を伝達させることができる。
【００１８】
ここで、上記フロントトンネル部にはこのフロアトンネル部とともに車両前後方向に延びる閉断面を形成するトンネルレインフォースメントが接合され、このトンネルレインフォースメントはその前端部がダッシュパネルに接合されているのが好ましい（請求項６）。
【００１９】
このように構成すれば、トンネルレインフォースメントによってフロントトンネル部の剛性を向上させることができ、これによりフロントトンネル部に入力される荷重が増大してもより確実かつ適正に荷重を伝達させることができる。
【００２０】
この発明において、補機レインフォースメントのレイン本体と補強アーム部とに跨って車両を操作するための操作用ペダルが取り付けられているのが好ましい（請求項７）。
【００２１】
すなわち、このレイン本体と補強アーム部とに跨って、クラッチペダル、アクセルペダルやフット式パーキングブレーキペダル等の各種操作用ペダルが取り付けられるのが好ましく、このように構成すれば、補強アーム部を有効に利用して操作用ペダルの支持剛性を向上させることができる。
【発明の効果】
【００２２】
本発明の自動車の前部車体構造によれば、補機レインフォースメントを有効に利用して車重の増加を可及的に抑制しつつ、前方から入力される荷重を広範囲に分散伝達させることができ、車体に入力される衝撃力等を効果的に吸収することができるという利点がある。
【発明を実施するための最良の形態】
【００２３】
以下、図面を参照しながら本発明の好ましい実施形態について説明する。図１はこの発明の一実施形態に係る自動車の前部車体構造を後方側から示す斜視図であり、図２は同前部車体構造を前方側から示す斜視図である。また、図３は、同前部車体構造の背面図である。
【００２４】
各図に示されるように、この前部車体には、車室の前壁部を構成するダッシュパネル３と、ブレーキペダル５（図４参照）の操作力を増強してブレーキ力を発生させるブレーキブースタ４（車両用補機の一例に相当）とが設けられている。ダッシュパネル３は、車室の前面部を覆うように形成された板状体であり、鋼板から形成されている。
【００２５】
このダッシュパネル３は、図４に示すように、フロアパネル６の前端縁から斜め上方に延びる傾斜壁部７と、この傾斜壁部の上端から略鉛直方向に起立する起立壁部８とを有し、この起立壁部８の上端部が略水平に折り曲げられて車幅方向に延びるカウルパネル９の下面に接合されている。また、起立壁部８の前面、言い換えると、起立壁部８のエンジン室側の壁面の下端部には、カウルパネル９の下方において車幅方向に延びるダッシュクロスメンバ１０が取り付けられている。なお、カウルパネル９はその車幅方向両端部がＡピラーに接合されている。
【００２６】
ダッシュクロスメンバ１０は、図４に示すように、鋼板を屈曲して断面視略ハット状に形成され、その開口縁のフランジ部１０ａが起立壁部８の前面下端部に接合されることにより、起立壁部８の前面とともに車幅方向に延びる閉断面Ｃを構成している。このダッシュクロスメンバ１０の車幅方向両端部は、図２に明示するように、車両前後方向に延びる左右一対のフロントサイドフレーム１１におけるキックアップ部１１ａの前端部に接合されている。すなわち、ダッシュクロスメンバ１０は、その両端部において、車両前後方向に延びる強度部材に接合されている。
【００２７】
また、図３および図５に示すように、このダッシュクロスメンバ１０の車幅方向中央部は、車幅方向中央部に沿って車体の前後方向に延びるフロアトンネル部１２の上面壁に接合されている。具体的には、このフロアトンネル部１２の上面壁は、前上がり状に傾斜する傾斜壁部１２ａと、この傾斜壁部１２ａの先端から上方に延出し起立壁部８との境界部分を構成する起立境界壁部１２ｂとを有し、この起立境界壁部１２ｂの前面がダッシュクロスメンバ１０の下側フランジ部１０ａに接合されている。また、このフロアトンネル部１２の外側には、このフロアトンネル部１２の上部とともに車両前後方向に延びる閉断面Ｃ２を形成するトンネルレインフォースメント１３が配設されている。
【００２８】
トンネルレインフォースメント１３は、図１および図３に示すように、断面視略Ｍ字状に形成され、その側壁１３ａの内面がフロアトンネル部１２の外側面上部にスポット溶接等により接合されるとともに、天壁中央平面部１３ｂがフロアトンネル部１２の上面に重合され、スポット溶接等により接合されている。このトンネルレインフォースメント１３は、図５に示すように、その前端部が略上向きに折り曲げられ、フロアトンネル部１２の起立境界壁部１２ｂ、言い換えると起立壁部８の下端部の後面に接合されている。
【００２９】
すなわち、このフロアトンネル部１２と起立壁部８との境界部分である起立境界壁部１２ｂの前後各面に、ダッシュクロスメンバ１０またはトンネルレインフォースメント１３が接合されている。なお、当実施形態では、ダッシュパネル３とフロアパネル６とは別体に形成されているが、フロアトンネル部１２の前端部がダッシュパネル３と一体に形成されている。
【００３０】
また、ダッシュパネル３の起立壁部８には、図２に示すように、種々の形状、大きさの開口部１４〜１７が貫設されている。これらの開口部１４〜１７は、各種の車両用補機の一部やこの補機に接続される各種ケーブルが挿通されるものである。
【００３１】
これらの開口部１４〜１７のうち、車幅方向について運転席側（当実施形態では車幅方向右側）に配設された開口部１４には、図４に示すように、ブレーキブースタ４がそのバルブ・オペレーティング・ロッド４ａを含む後端突出部４ｂを挿通させた状態で装着されている。また、この開口部１４の周囲には複数個（図例では４個）のねじ挿通孔１８が穿設され、このねじ挿通孔１８にはブレーキブースタ４のパワーシリンダ４ｃの背面に突設されたスタッドボルト４ｄが挿通されている。
【００３２】
このブレーキブースタ４が装着されたダッシュパネル３の後面側には、当該ダッシュパネル３によるブレーキブースタ４の支持剛性を向上させるためのブースタ取付用レインフォースメント１９（補機レインフォースメントの一例に相当）がその周囲をダッシュパネル３の後面にスポット溶接等されることにより接合されている。このブースタ取付用レインフォースメント１９は、その外観が、図６に示すように、車幅方向内側の側縁部、すなわちフロアトンネル部１２側の側縁部が当該フロアトンネル部１２側に延出し、その延出基端部分の下端から上方に延びる切欠き部１９ａが設けられた形状を呈している。
【００３３】
具体的には、ブースタ取付用レインフォースメント１９は、略矩形状に形成されたレイン本体２０と、このレイン本体２０の車幅方向内側の側縁上部から斜め下方に延びる補強アーム部２１とを備え、一枚の鋼板をプレス加工することにより一体に形成されている。
【００３４】
レイン本体２０は、大部分の領域がダッシュパネル３の後面に当接するとともに一部の領域が後方に膨出してダッシュパネル３の後面から離間するように形成され、これにより剛性を向上させている。このレイン本体２０は、図４に示すように、その上端部がカウルパネル９の後面にスポット溶接等により接合されるとともに、その下端部がダッシュクロスメンバ１０の上側フランジ部１０ａが接合されるダッシュパネル３の後面にスポット溶接等により接合されている。すなわち、このレイン本体２０の下端部は、ダッシュパネル３を介してダッシュクロスメンバ１０に接合されている。さらに、このレイン本体２０の下端部は、車幅方向について、ダッシュパネル３を介してダッシュクロスメンバ１０とフロントサイドフレーム１１とに跨ってスポット溶接等により接合されている。したがってこのレイン本体２０の下端部は、ダッシュクロスメンバ１０とフロントサイドフレーム１１との接合部分にもダッシュパネル３を介して接合されることになる。
【００３５】
また、レイン本体２０の中央部には、ダッシュパネル３の開口部１４に連通するレイン貫通孔２２が貫設されるとともに、このレイン貫通孔２２の周囲に上記ねじ挿通孔１８に連通するねじ挿通孔２３が貫設されている。このレイン貫通孔２２はブレーキブースタ４の後端突出部４ｂが挿通されるものであり、ねじ挿通孔２３はブレーキブースタ４のスタッドボルト４ｄがそれぞれ挿通されるものである。したがって、ブレーキブースタ４は、その後端突出部４ｂを開口部１４およびレイン貫通孔２２に挿通させるとともに、スタッドボルト４ｄをねじ挿通孔１８，２３に挿通させ、このスタッドボルト４ｄにナット２４を螺着することによりダッシュパネル３の前面に装着されている。
【００３６】
さらに、レイン本体２０の上部には、図４および図６に示すように、ブレーキペダル５のペダルブラケット２５を取り付けるための左右一対のペダル取付部２６が設けられている。このペダル取付部２６には、スタッドボルト２６ａが立設されており、このスタッドボルト２６ａにペダルブラケット２５を取り付けられることによりブレーキペダル５が装着されている。このブレーキペダル５のレバー５ａは中間部においてバルブ・オペレーティング・ロッド４ａが枢支され、ブレーキペダル５の操作力がブレーキブースタ４に入力されるように構成されている。
【００３７】
一方、補強アーム部２１は、図３に明示するように、背面視において上方に凸のアーチ状に湾曲形成され、下端部がダッシュクロスメンバ１０の車幅方向中央部に接合されている。したがって、この補強アーム部２１はレイン本体２０とダッシュクロスメンバ１０との間に筋交状に配設され、補強アーム部２１とレイン本体２０とによって構成される切欠き部１９ａがダッシュパネル３の開口部１５に連通するように配置されている。
【００３８】
具体的には、補強アーム部２１の下端部は、ダッシュクロスメンバ１０における車幅方向中央部であって、フロアトンネル部１２の起立境界壁部１２ｂとの接合部分から車幅方向外側に外れた部分、すなわちレイン本体２０寄りの部分に、図８に示すように、ダッシュパネル３を介してスポット溶接等により接合されている。このように、補強アーム部２１の下端部がダッシュクロスメンバ１０の車幅方向中央部にダッシュパネル３を介して接合されているとともに、このダッシュクロスメンバ１０の車幅方向中央部には上記したようにフロアトンネル部１２の前端部（起立境界壁部１２ｂ）が接合されるので、補強アーム部２１を通じて伝達された荷重はダッシュクロスメンバ１０の車幅方向中央部を通じてフロアトンネル部１２およびトンネルレインフォースメント１３に伝達される。
【００３９】
この補強アーム部２１は、幅方向の中央領域２７が後方に膨出してビード状に形成され、図７に示すように、ダッシュパネル３の後面とともに閉断面Ｃ３を構成している。この閉断面Ｃ３により補強アーム部２１の剛性が向上され、この補強アーム部２１を通じて効率的に荷重が伝達できるようになっている。
【００４０】
このブースタ取付用レインフォースメント１９には、その補強アーム部２１とレイン本体２０とに跨ってクラッチペダルユニット２８が取り付けられている。すなわち、ブースタ取付用レインフォースメント１９の切欠き部１９ａの周辺は、比較的平坦に形成されるとともに、後方に膨出して当たり部２９が形成され、この当たり部２９にペダル装着用のスタッドボルト３０が立設されている。図１に示すように、このスタッドボルト３０にクラッチペダルユニット２８の取付ブラケット３１が支持されてナット（図示せず）により螺着され、これによりこのブースタ取付用レインフォースメント１９にクラッチペダルユニット２８が取り付けられている。このクラッチペダルユニット２８から延びるワイヤ（図示せず）は、ブースタ取付用レインフォースメント１９の切欠き部１９ａおよびダッシュパネル３の開口部１５を通してエンジン室内に引き込まれている。
【００４１】
なお、ダッシュクロスメンバ１０の閉断面Ｃ内であって、車幅方向についてレイン本体２０のフロアトンネル部１２側の側縁部と補強アーム部２１との間には、図４および図８に示すように、ダッシュクロスメンバ１０の強度を向上させるための補助レインフォースメント３５が配設されている。この補助レインフォースメント３５は、断面視略コ字状に形成され、車幅方向左右両端部の外面がダッシュクロスメンバ１０の内面に接合されている。
【００４２】
以上のように構成された自動車の前部車体構造によれば、ブースタ取付用レインフォースメント１９はレイン本体２０とこのレイン本体２０からフロアトンネル部１２側に延出してダッシュクロスメンバ１０の車幅方向中央部に接合される補強アーム部２１とを備えるとともに、この補強アーム部２１が接合されるダッシュクロスメンバ１０の中央部はフロアトンネル部１２の前端部に接合されているので、衝突等によって自動車の前方側から荷重が入力されてブースタ取付用レインフォースメント１９を通じてレイン本体２０に荷重が入力された場合には、補強アーム部２１を通じてフロアトンネル部１２にも荷重が分散される。
【００４３】
すなわち、自動車の前方側からレイン本体２０に荷重が入力された場合には、このレイン本体２０からカウルパネル９、ダッシュクロスメンバ１０およびフロントサイドフレーム１１に荷重が分散伝達されるだけでなく、補強アーム部２１を通じてダッシュクロスメンバ１０の車幅方向中央部、およびフロアトンネル部１２並びにトンネルレインフォースメント１３に荷重が分散伝達され、これにより入力荷重を効率的に分散させて車体の広範囲にわたってエネルギーを吸収させ、衝撃を緩和することができる。
【００４４】
しかも、この入力荷重の分散にあたって、ブレーキブースタ４の支持剛性を向上させるための強度部材であるブースタ取付用レインフォースメント１９を有効に利用し、また従来の構造におけるブースタ取付用レインフォースメントを改良して単にこのレインフォースメントを拡大するのではなく、このレイン本体２０における上側の側縁部から筋交状に延出する補強アーム部２１を通じて荷重が伝達されるように構成されるので、重量の増加を可及的に抑制することができる。
【００４５】
ところで、通常、車体下部は車体上部に比べて剛性が高く構成されることから、補強アーム部２１がダッシュクロスメンバ１０とレイン本体２０との間に筋交状に配設されることにより、この剛性が高い車体下部に伝達される荷重を大きくすることができ、ブースタ取付用レインフォースメント１９に入力される荷重を広範囲に、かつ、適正に分散させることができる。
【００４６】
なお、以上に説明した自動車の車体前部構造は、本発明に係る構造の一実施形態であって、同構造の具体的構成等は、本発明の趣旨を逸脱しない範囲で適宜変更可能であり、変形例を以下に説明する。
【００４７】
（１）上記実施形態では、補助アーム部２１がレイン本体２０の側縁部上側からフロアトンネル部１２側に向かって延出し、レイン本体２０とダッシュクロスメンバ１０との間に筋交状に配設されているが、この補強アーム部２１はレイン本体２０の側縁部の一部がフロアトンネル部１２側に向かって延出するものであれば、その具体的形状が特に限定されるものではない。
【００４８】
例えば、補強アーム部は、矩形状のレイン本体２０の側縁部下側からダッシュクロスメンバ１０に沿って車幅方向、フロアトンネル部１２側に延びて形成されるものであってもよい。或いは、矩形状のレイン本体２０の側縁部がトライアングル状にフロアトンネル部１２側に延出し、この延出部の中央部にダッシュパネル３の開口部１５よりも一回り大きい大開口部を設けるようにしてもよい。このように構成しても、重量の増加を抑制しつつ、ブースタ取付用レインフォースメント１９に入力される荷重を車両前後方向に延びる強度部材に効率的に分散して伝達させることができる。
【００４９】
（２）また、上記実施形態では、補強アーム部２１の下端部が、フロアトンネル部１２の前端部が接合される部分からレイン本体２０側に外れた位置に接合されているが、この補強アーム部２１の下端部を直接フロアトンネル部１２の前端部に接合するものであってもよい。ただし、上記実施形態のように、フロアトンネル部１２の前端部が接合された部分から外れたダッシュクロスメンバ１０の中央部に、補強アーム部２１の下端部が接合されると、このダッシュクロスメンバ１０を通じて反対側（フロアトンネル部１２に対してレイン本体２０側と反対側）のフロントサイドフレームにも荷重を伝達させることができ、より広範囲に入力荷重を分散させることができる。
【００５０】
（３）上記実施形態では、ダッシュクロスメンバ１０の車幅方向両端部は、フロントサイドフレーム１１に接合されているが、この両端部がサスペンションタワーに接合されるものであってもよい。ただし、車両前後方向に延びる強度部材に効率的に入力荷重を分散伝達させるには、上記実施形態のように、ダッシュクロスメンバ１０の車幅方向両端部がフロントサイドフレーム１１に接合されるのが好ましい。
【００５１】
（４）上記実施形態では、レイン本体２０の上端部がカウルパネル９に接合されているが、ダッシュパネル３の後面上端部に接合されるものであってもよい。ただし、レイン本体２０の上端部がカウルパネル９に接合されることにより、車幅方向に延びるカウルパネルおよびこのカウルパネルが接合されているＡピラーを通じて車体上部構造にも荷重を分散させることができる。
【００５２】
（５）上記補強アーム部２１は平坦なプレートとして形成されるものであってもよいが、上記実施形態のように一部車両後方に膨出させてダッシュパネル３とともに閉断面Ｃ３を構成するのが好ましい。このようにすれば、重量の増加を抑制しつつ、補強アーム部２１の強度を向上させることができる。
【００５３】
（６）なお、ブースタ取付用レインフォースメント１９のレイン本体２０と補強アーム部２１との間に跨って取り付けられるペダルは、クラッチペダルの他、フット式パーキングブレーキペダルであってもよく、運転席が車両左側に設けられる場合にはアクセルペダルを配設するようにしてもよい。
【図面の簡単な説明】
【００５４】
【図１】本発明の一実施形態に係る自動車の前部車体構造を後方側から示す斜視図である。
【図２】同構造を前方側から示す斜視図である。
【図３】同構造を示す背面図である。
【図４】図３のＩＶ−ＩＶ線断面図である。
【図５】図３のＶ−Ｖ線断面図である。
【図６】ブースタ取付用レインフォースメントを示す斜視図である。
【図７】図３のＶＩＩ−ＶＩＩ線断面図である。
【図８】図３のＶＩＩＩ−ＶＩＩＩ線断面図である。
【符号の説明】
【００５５】
３  ダッシュパネル
４  ブレーキブースタ（車両用補機）
５  ブレーキペダル（ペダル）
９  カウルパネル
１０  ダッシュクロスメンバ
１１  フロントサイドフレーム
１２  フロアトンネル部
１３  トンネルレインフォースメント
１９  ブースタ取付用レインフォースメント
２０  レイン本体
２１  補強アーム部
２７  中央領域
２８  クラッチペダルユニット（操作用ペダル）
Ｃ  閉断面
Ｃ２  閉断面
Ｃ３  閉断面
【図１】
2007030627.tif 000003
【図２】
2007030627.tif 000004
【図３】
2007030627.tif 000005
【図４】
2007030627.tif 000006
【図５】
2007030627.tif 000007
【図６】
2007030627.tif 000008
【図７】
2007030627.tif 000009
【図８】
2007030627.tif 000010